(57)【要約】【課題】  手足を引掛けて怪我をすることなく、また、容易に且つ精度良く組み立てることができ、且つ運搬性にも優れ、さらに、枠材を切断するに当たって、無駄にする部分を発生させない床下収納庫又は床下点検口に用いる枠材の組立構造を提供する。【解決手段】  金属製の枠材２を合成樹脂製のコーナー部材３により連結して平面視矩形状の枠体１を形成してなる床下収納庫又は床下点検口に用いる枠材の組立構造である。コーナー部材３に嵌込片３１を互いに略直交するようにして設けると共にコーナー部材３の上部且つ嵌込片３１の突出方向と同方向に覆い片３２を設ける。枠材２に嵌込片３１が嵌め込まれる被嵌込部２１を設けると共に前記開口が設けられた床又は蓋４の端部上面に当接するフランジ片２２を設ける。コーナー部材３の嵌込片３１を枠材２の被嵌込部２１に嵌合して枠組みし、コーナー部材３の覆い片３２によって枠材２のフランジ片２２の端面上部を覆った。【選択図】        図１
2010116738.tif 000002
【特許請求の範囲】
【請求項１】
金属製の枠材を合成樹脂製のコーナー部材により連結して平面視矩形状の枠体を形成してなる床下収納庫又は床下点検口に用いる枠材の組立構造であって、前記枠体は床に設けられた開口の周枠又は周枠を配設した開口を閉塞する蓋に装着される外枠に用いられ、コーナー部材に嵌込片を互いに略直交するようにして設けると共にコーナー部材の上部で且つ嵌込片の突出方向と同方向に覆い片を設け、枠材に嵌込片が嵌め込まれる被嵌込部を設けると共に前記開口が設けられた床又は蓋の端部上面に当接するフランジ片を設け、コーナー部材の嵌込片を枠材の被嵌込部に嵌合して枠組みすると共にコーナー部材の覆い片によって枠材のフランジ片の端面上部を覆って成ることを特徴とする床下収納庫又は床下点検口に用いる枠材の組立構造。
【請求項２】
床に設けられた開口の周枠に用いられる枠体であって、床に設けられた矩形状の開口に配設する枠体の枠材にあるフランジ片から下方に向けて縦片を連設し、コーナー部材にある覆い片から下方に向けて連設された縦壁の枠材が嵌め込まれる側の端部を当接部とし、当接部よりも枠材側に突出先端が位置し且つ縦壁の背面側に覆い壁を設け、コーナー部材の当接部を枠材の長手方向の端部に当接して縦片と縦壁の内側面が面一状になると共に枠材の外側面に覆い壁が位置して成ることを特徴とする請求項１に記載の床下収納庫又は床下点検口に用いる枠材の組立構造。
【請求項３】
床に設けられた開口の周枠に用いられる枠体であって、前記コーナー部材にある嵌込片を縦壁の下部に設けると共に前記覆い片を縦壁の上部に設け、コーナー部材の覆い片と枠材のフランジ片との重なり部分において覆い片に係止部を設け、フランジ片に前記係止部と係止する被係止部を設け、コーナー部材の嵌込片を枠材の被嵌込部に嵌め込むと共に係止部と被係止部とを係止させて成ることを特徴とする請求項１又は請求項２に記載の床下収納庫又は床下点検口に用いる枠材の組立構造。
【請求項４】
周枠を配設した開口を閉塞する蓋に装着される外枠に用いられる枠体であって、蓋体を差し込む断面略コ字形状の蓋体差込部を枠材に設けると共に蓋体差込部の下部に床に設けられた開口に配設された枠体上に載置するための載置部を下方に向けて突設し、コーナー部材の下端部に突部を設け、蓋体を蓋体差込部に差し込むと共に蓋体の端部上面にフランジ片を当接し、枠材にある載置部の長手方向の端部をコーナー部材の突部で覆って成ることを特徴とする請求項１に記載の床下収納庫又は床下点検口に用いる枠材の組立構造。
【発明の詳細な説明】
【技術分野】
【０００１】
本発明は、床下収納庫又は床下点検口に用いる枠材の組立構造に関するものである。
【背景技術】
【０００２】
従来から、床下収納庫又は床下点検口に用いる枠材として、例えば、特許文献１及び特許文献２により示すものが知られている。
【０００３】
この特許文献１により示すものは、平面視矩形状の枠体を床に設けた開口に配設するものである。この開口に設置された枠体は、枠体の各辺をアルミニウム製の枠材によって構成してあり、各枠材の長手方向の両端を斜め４５°に切断し、各枠材の端部同士を相互に突き合わせて、溶接やロウ付けにより接合し、矩形状に組み立てられたものである。
【０００４】
しかし、このような枠体においては、切断面同士を互いに付き合わせるため枠材の切断面は露出しないものの、溶接等により溶接ビード等が発生してしまい、その溶接面を仕上げなければ、その溶接ビード等によって手足を引掛けて怪我をしてしまうことになる。さらに、枠材を斜め４５°に切断する必要があるため、手間が掛かるばかりか、切り落とした部分が無駄になってしまうという問題があり、そのうえ、溶接等により接合するため、その熱により生じる歪によって精度良く製作することが困難であり、更に言えば、あらかじめ溶接等して組み立てた状態の矩形状の枠として施工現場に搬入する必要があるため、持ち運びに不便なものであるという問題があった。
【０００５】
一方、特許文献２により示すものは、アルミニウムから成る枠材同士を合成樹脂製のジョイントピース（コーナー部材）を介して枠組みして、床に設けられた開口の周枠やその開口を閉塞する蓋の外枠を構成しており、このコーナー部材の連結凸部（嵌込片）を枠材に設けた連結凹部（被嵌込部）に嵌入しつつ、コーナー部材の嵌込片の突出基部である立面部に枠材の端部を、単に突き合せた状態で枠組みがなされている。
【０００６】
ところで、このような特許文献２の枠体の組立構造は、枠材を斜め４５°に切断する必要がないため無駄になる材料が発生せず、また、作業現場に材料を搬入するに当たっても、簡単に作業現場で組み立てることができるので、枠材とコーナー部材とを分割して搬入することができる。しかしその一方で、このような特許文献２の枠体は、金属製の枠材の切断された端部（つまり切断面）のエッジ部分においては、非常に鋭利なものとなっている。そのため、コーナー部材の嵌込片の突出基部である立面部に枠材の端部を、ただ単に突き合せた状態であれば、枠材の上部のエッジ部分において、手足を引掛けて切傷等の怪我をしてしまうという問題があった。
【特許文献１】特開２００５−１２０７５６号公報
【特許文献２】特開平９−３１０４７９号公報
【発明の開示】
【発明が解決しようとする課題】
【０００７】
本発明は、上記従来の問題に鑑みてなされたものであり、その目的とするところは、手足を引掛けて怪我をすることなく、また、容易に且つ精度良く組み立てることができ、且つ運搬性にも優れ、さらに、枠材を切断するに当たって、無駄にする部分を発生させない床下収納庫又は床下点検口に用いる枠材の組立構造を提供することにある。
【課題を解決するための手段】
【０００８】
上記課題を解決するために請求項１に係る発明にあっては、金属製の枠材２，６を合成樹脂製のコーナー部材３，７により連結して平面視矩形状の枠体１を形成してなる床下収納庫又は床下点検口に用いる枠材の組立構造であって、前記枠体１は床に設けられた開口の周枠１ａ又は周枠１ａを配設した開口を閉塞する蓋４に装着される外枠１ｂに用いられ、コーナー部材３，７に嵌込片３１，７３を互いに略直交するようにして設けると共にコーナー部材３，７の上部で且つ嵌込片３１，７３の突出方向と同方向に覆い片３２，７４を設け、枠材２，６に嵌込片３１，７３が嵌め込まれる被嵌込部２１，６７を設けると共に前記開口が設けられた床又は蓋４の端部上面に当接するフランジ片２２，６３を設け、コーナー部材３，７の嵌込片３１，７３を枠材２，６の被嵌込部２１，６７に嵌合して枠組みすると共にコーナー部材３，７の覆い片３２，７４によって枠材２，６のフランジ片２２，６３の端面上部を覆って成ることを特徴とするものである。
【０００９】
このように構成したことで、床に設けられた開口の周枠１ａ又は周枠１ａを配設した開口を閉塞する蓋に装着される外枠１ｂのフランジ片２２，６３の上面の鋭利なエッジ部分を、樹脂製のコーナー部材３，７の覆い片３２，７４によって覆うことができるので、そのエッジ部分に手足等を引掛けて怪我をすることが無くなる。また、枠体１は枠材２，６とコーナー部材３，７により嵌合して枠組みされているから、簡単に枠体１を組立てることができて運搬性にも優れるという利点も有しており、更に、溶接等により接合していないから製作精度も良好となる。また、枠材２，６を切断して形成するに当たって、その切断面を斜め４５°で切断することなく、長手方向に垂直な方向で切断することができるので、無駄な部材の発生を大幅に減らすことができる。
【００１０】
また、請求項２に係る発明にあっては、請求項１に係る発明において、床に設けられた開口の周枠１ａに用いられる枠体１であって、床に設けられた矩形状の開口に配設する枠体１の枠材２にあるフランジ片２２から下方に向けて縦片２３を連設し、コーナー部材３にある覆い片３２から下方に向けて連設された縦壁３３の枠材２が嵌め込まれる側の端部を当接部３４とし、当接部３４よりも枠材２側に突出先端が位置し且つ縦壁３３の背面側に覆い壁３５を設け、コーナー部材３の当接部３４を枠材２の長手方向の端部に当接して縦片２３と縦壁３３の内側面が面一状になると共に枠材２の外側面に覆い壁３５が位置して成ることを特徴とするものである。
【００１１】
このように構成したことで、請求項１に係る効果に加えて、枠材２の切断面の面仕上げをしていない結果、コーナー部材３の当接部３４と枠材２の長手方向の端面との間に隙間が生じてしまった場合であっても、覆い壁３５が設けてあるから、その隙間から床に設けられた開口の端部が見えてしまうということが無い。しかも、覆い壁３５はコーナー部材３の背面側に設けてあるから、枠体１に蓋４を設置するに当たっても、覆い壁３５と蓋４とが干渉することなく設置することができる。
【００１２】
また、請求項３に係る発明にあっては、請求項１又は請求項２に係る発明において、床に設けられた開口の周枠１ａに用いられる枠体１であって、前記コーナー部材３にある嵌込片３１を縦壁３３の下部に設けると共に前記覆い片３２を縦壁３３の上部に設け、コーナー部材３の覆い片３２と枠材２のフランジ片２２との重なり部分において覆い片３２に係止部３６を設け、フランジ片２２に前記係止部３６と係止する被係止部２４を設け、コーナー部材３の嵌込片３１を枠材２の被嵌込部２１に嵌め込むと共に係止部３６と被係止部２４とを係止させて成ることを特徴とするものである。
【００１３】
このように構成したことで、請求項１又は請求項２に係る効果に加えて、嵌込片３１を縦壁３３の下部に設けると共に覆い片３２を縦壁３３の上部に設けてあり、コーナー部材３と枠材２との固定部分が離れて位置しているから、枠組みされた枠体１の強度を向上させることができる。これにより、枠体１が歪んで枠組みされるのを防止することができ、つまり、歪んで枠組みされた枠体１が床の開口に配設されることにより蓋４が設置できなくなるという事態を回避することができる。
【００１４】
また、請求項４に係る発明にあっては、請求項１に係る発明において、周枠１ａを配設した開口を閉塞する蓋４に装着される外枠１ｂに用いられる枠体１であって、蓋体４１を差し込む断面略コ字形状の蓋体差込部６１を枠材６に設けると共に蓋体差込部６１の下部に床に設けられた開口に配設された枠体１上に載置するための載置部６２を下方に向けて突設し、コーナー部材７の下端部に突部７１を設け、蓋体４１を蓋体差込部６１に差し込むと共に蓋体４１の端部上面にフランジ片６３を当接し、枠材６にある載置部６２の長手方向の端部をコーナー部材７の突部７１で覆って成ることを特徴とするものである。
【００１５】
このように構成したことで、請求項１に係る効果に加えて、枠材６にある載置部６２の長手方向の端部をコーナー部材７の突部７１で覆ったので、載置部６２の端部に形成されるエッジ部分に手足等を引掛けて切傷等の怪我をしてしまうのを防止することができる。
【発明の効果】
【００１６】
本発明によれば、金属製の枠材から成る枠体を、床に設けられた開口の周枠又は周枠を配設した開口を閉塞する蓋に装着される外枠に用いた場合であっても、エッジ部分が露出することが無くなるので、手足を引掛けて切傷等の怪我をしてしまうことがなくなる。しかも溶接接合を必要とせず、作業現場において簡単に枠組みすることができるから運搬性に優れるという利点も有しており、その上、枠材を長手方向に直角な方向で切断することができるので、無駄な部材が発生することもなく、コストの低減を図ることができる。
【発明を実施するための最良の形態】
【００１７】
以下、本発明について添付図面に基づいて説明する。
【００１８】
本発明の一実施例として、床下収納庫に基づいて説明する。
【００１９】
本実施形態の床下収納庫は、床に設けられた開口の開口周縁に周枠１ａとしての枠体１を配設し、その枠体１に有底箱状の収納本体８を取り付け、その収納本体８の下方からモルタルによりこの収納本体８を支持することで、床下収納庫の主体を構成している。そして更に、この周枠１ａ（枠体１）を配設して形成された開口には、その開口を閉塞するようにして開閉自在に設置された蓋４が設けられている。
【００２０】
枠体１は、図３に示すように、金属製の枠材２と、合成樹脂製のコーナー部材３と、から構成されており、４つの枠材２をコーナー部材３を介して連結することで平面視矩形状を成して形成されている。この各枠材２はすべて略同じ長さで形成されており、各枠材２をコーナー部材３により連結したものは、平面視で正方形状を成す枠体１を構成している。
【００２１】
本実施形態の枠材２は、金属を押出成形して成る長尺状の部材を、長手方向に垂直な断面により切断することで、各枠材２が形成されている。この枠材２は、図１及び図２に示すように、床に設けられた開口部分の端部上面に当接するフランジ片２２と、このフランジ片２２から下方に向けて連接された縦片２３と、この縦片２３の下部から床の開口中央側に向けて水平方向に連設された被嵌込部２１と、被嵌込部２１における床の開口中央側の下端部から水平方向に連設された収納本体受片２８と、を備えている。
【００２２】
フランジ片２２には被係止部２４が設けられている。この被係止部２４は、枠材２に設けられたフランジ片２２の長手方向の両端部で、且つ、フランジ片２２の長手方向に直角な方向の略中間部に設けられており、本実施形態における被係止部２４は、平面視略コ字形状の外縁を成す切り込み２４ａが、フランジ片２２の長手方向の両端部（つまり、切断面）からフランジ片２２の中央側に向けて形成されている。
【００２３】
被嵌込部２１は、蓋４の載置部６２が載置される横片２５と、その横片２５の長手方向に直角な方向の両端部（つまり、横片２５の断面における両端）から下方に向けて突設される垂下片２６と、その垂下片２６の上下方向の略中間部において互いに内向するようにして突設された突片２７と、から構成されている。この突片２７は垂下片２６の長手方向の全長（つまり、枠材２の長手方向の全長）に亘って連続して突設されている。また、横片２５には固着具挿通穴２５２が穿設されており、この固着具挿通穴２５２に皿ねじを挿通したときに、横片２５の上面と皿ねじの頭部の上面とが面一状となるようにするために、皿もみ加工が施してある。また、横片２５の長手方向の両端部から僅かに中央側に位置する部位には、被係止孔２５１が穿設されている。
【００２４】
収納本体受片２８は、被嵌込部２１にある床の開口中央側の垂下片２６（つまり、縦片２３とは離れた側の垂下片２６）の下端部から、床の開口中央側に向けて水平に突設されている。収納本体受片２８の長手方向（枠材２の長手方向）の略中間部には、収納本体８に設けられた収納本体設置用突起８２を挿通するための、長孔から成る収納本体用孔２８１が穿設されている。なお、この収納本体受片２８の長手方向の両端部は、隣り合う枠材２の収納本体受片２８同士が干渉するのを防ぐために斜め４５°に僅かにカットされたカット部２９が設けられている。
【００２５】
本実施形態のコーナー部材３は、合成樹脂により形成されている。コーナー部材３は、図１に示すように、上下方向に立設し且つ平面視略Ｌ字形状にて形成された縦壁３３が設けられており、その縦壁３３の水平方向の両端面（すなわち、枠材２が嵌め込まれる側の端部）は、枠材２の長手方向の端部が当接する当接部３４となっている。また、この縦壁３３の下部には矩形状の底面部３７が設けられており、この底面部３７の上面の略中央部には、凹段部３８が形成されている。縦壁３３と連設されていない底面部３７の側面からは嵌込片３１が突設しており、底面部３７から突設する各嵌込片３１が互いに略直交するようになっている。さらに、縦壁３３の上部には、前述の嵌込片３１の突出方向と同じ方向（同方向）となるように覆い片３２が設けられており、この覆い片３２は縦壁３３の上端部と連設している。また、この覆い片３２の裏面（つまり、覆い片３２の下面）には、枠材２のフランジ片２２に設けられた切り込み２４ａから成る被係止部２４に嵌まり込む係止部３６が設けられている。この係止部３６は、覆い片３２の裏面から下方に向けて突設された突条３６ａにより構成されており、前述の嵌込片３１の突出方向と同じ方向において、覆い片３２の裏面の略全長に亘って設けられている。
【００２６】
しかも、この縦壁３３の背面側（つまり、縦壁３３の外側）には覆い壁３５が設けられている。この覆い壁３５は、嵌込片３１が設けられている高さから覆い片３２に近接する高さ（すなわち、覆い片３２と覆い壁３５の上端部との間には僅かな隙間が設けられている）にまで、連続して設けられており、縦壁３３の水平方向の端部（すなわち、当接部３４）よりも枠材２側にその突出先端が位置するようにして、縦壁３３とは一体的に成形されている。
【００２７】
また、本実施形態のコーナー部材３にある上記嵌込片３１の平面視略中央部に、上下方向に撓む係止片３１１と、この係止片３１１の上面に上方に向けて突設し且つ枠材２に穿設された被係止孔２５１と係合する係止突起３１２と、が設けられている。なお、この係止突起３１２は嵌込片３１の先端に近づくほど高さが低くなる断面三角形状に形成されている。さらに、嵌込片３１の下部には、枠材２の被嵌込部２１にある突片２７をスライド自在に挟むようにして設けられた断面略Ｌ字形状のガイド片３９が設けられている。なお、本実施例におけるガイド片３９は、嵌込片３１の外側に設けられたガイド片３９と嵌込片３１の内側に設けられたガイド片３９とは、僅かに水平方向の突出長さを相違させている。つまり、２つのガイド片３９の形状を互いに異ならせることにより、コーナー部材３に枠材２を嵌合して枠組みさせる際に、間違って枠組みしてしまうのを防ぐための工夫がなされている。
【００２８】
このように構成された枠材２とコーナー部材３とを連結し、枠体１を枠組みするには以下のようにして行なう。
【００２９】
枠材２の被嵌込部２１にコーナー部材３に設けられた嵌込片３１を嵌入して、枠体１の枠組みを行なうのであるが、詳しくは、枠材２の被嵌込部２１にある横片２５と突片２７との間に、コーナー部材３の嵌込片３１を挿通していくと、嵌込片３１の上面に設けられた係止突起３１２が枠材２の横片２５の端部に当接する。そのまま被嵌込部２１に嵌込片３１を押し込むと、係止突起３１２が押圧されて係止片３１１が下方に撓み、被嵌込部２１に嵌込片３１が嵌まり込むことができるようになる。その状態で嵌込片３１を押し込み続けることで、枠材２に設けられた被係止孔２５１に係止突起３１２が差し掛かり、係止片３１１の撓みが復元して被係止孔２５１に係止突起３１２が係止される。
【００３０】
図２に示すように、この被係止孔２５１に係止突起３１２が係止するのと同時に、枠材２の縦片２３の長手方向の端部がコーナー部材３の縦壁３３にある当接部３４に当接又は近接するようになっており、枠材２の縦片２３とコーナー部材３の縦壁３３の内側面が略面一状になるようになっている。さらに、コーナー部材３の覆い片３２の下面に設けられた突条３６ａ（すなわち、係止部３６）の端部が、枠材２のフランジ片２２に設けられた切り込み２４ａ（すなわち、被係止部２４）に嵌まり込むようになっており、つまり、コーナー部材３の係止部３６が枠材２に設けられた被係止部２４に係止される。このとき、枠材２のフランジ片２２の端部上面がコーナー部材３の覆い片３２によって上方から覆うようになっており、枠材２の切断面である長手方向の端部のフランジ片２２の上部に現れるエッジ部が露出しないように、コーナー部材３の覆い片３２で覆うようになっている。
【００３１】
このようなコーナー部材３に対する枠材２の接合作業を繰り返せば、平面視矩形状を成す枠体１の枠組みが完了する。
【００３２】
このようにして設けられた枠体１は、上述のように、コーナー部材３の覆い片３２によって枠材２のフランジ片２２の端面上部を覆うようになっており、つまり、合成樹脂製のコーナー部材３により覆うことで金属製の枠材２の切断面に現れるエッジ部が露出しないため、エッジ部分によって手足を引掛けて切傷を負ってしまう心配も無い。また、枠材２を形成するに当たり、長尺状に設けられた部材を長手方向に直角な断面で切断して形成することができるので、無駄になる部材がほとんど発生しないという利点も有している。
【００３３】
また、上記のように、コーナー部材３の嵌込片３１を枠材２の被嵌込部２１に嵌合して枠組みを成しているから、簡単に枠体１を枠組みすることができる。つまり、溶接接合をしないため、作業現場において枠組みすることができ、運搬性に優れ、その上、溶接熱による歪が生じることも無くなる。
【００３４】
また、枠材２の被嵌込部２１にコーナー部材３の嵌込片３１を挿通するに当たって、ガイド片３９が突片２７をスライド自在に挟むようにして設けられているから、スムーズに嵌合して枠組みすることができ、それに加えて、ガイド片３９を設けることにより嵌込片３１の強度を補強する効果も奏している。
【００３５】
また、枠材２の切断に当たって、製作上の誤差により直線状に切断することができず、コーナー部材３の縦壁３３の当接部３４と枠材２の縦片２３の長手方向の端部との間に隙間が生じてしまった場合であっても、コーナー部材３の縦壁３３の背面（外側面）に覆い壁３５を設けてあり、枠材２の外側面に覆い壁３５が位置しているから、その隙間から床の開口端面が見えてしまうのを回避でき、その結果、外観が損なわれるのを防ぐことができる。
【００３６】
さらに、コーナー部材３の嵌込片３１を枠材２の被嵌込部２１に嵌め込むのとは別に、コーナー部材３の覆い片３２と枠材２のフランジ片２２との重なり部分において覆い片３２に係止部３６を設けて、係止部３６と被係止部２４とを係止させたから、枠組みされた枠体１のねじれ方向に対する強度を向上することができる。
【００３７】
このようにして構成された枠体１は、以下のように床下収納庫に配設される。
【００３８】
本実施例の床下収納庫が設置される開口部は、図４に示すように、床板Ｃの下に取付用根太Ａが配設されており、この取付用根太Ａの内周面に受枠補強根太Ｂが固設されている。この受枠補強根太Ｂは、床板Ｃの上面よりも下方に位置して固設されており、詳しくは、枠材２のフランジ片２２の下面から被嵌込部２１の垂下片２６の下端までの寸法Ｌと同じ寸法だけ、受枠補強根太Ｂの上面が床板Ｃの上面から下がった位置となるように固設されている。
【００３９】
上述したように枠組みされた枠体１を、この床に設けられた開口に配設するに当たっては、図５に示すように、受枠補強根太Ｂの上面に収納本体受片２８と垂下片２６の下端部を載置すると共に、フランジ片２２の下面を床板Ｃの上面に当接した状態を維持したまま、枠材２の横片２５に設けられた固着具挿通穴２５２に皿ねじ（皿木ねじ）を挿通し、枠材２の下方にある受枠補強根太Ｂに螺合して固設する。
【００４０】
そして、この床に設けられた開口に配設された枠体１（周枠１ａ）内に有底箱状の収納本体８を挿通して設置するのであるが、収納本体８の下方の空間には収納本体８を支持するモルタルをあらかじめ配設しておき、その後、モルタル上に収納本体８を支持させると共に枠体１に収納本体８を設置する。
【００４１】
枠体１に収納本体８を設置するには、図６に示すように、この収納本体８の開口外縁に設けられたフランジ部８１を、この枠材２の収納本体受片２８に設置する。収納本体８のフランジ部８１の裏面からは突起から成る収納本体設置用突起８２が下方に向けて突設されており、枠材２の収納本体受片２８に穿設された収納本体用孔２８１に挿通し係合して位置決めができるようになっている。
【００４２】
このようにして構成された床下収納庫には、その開口を閉塞する蓋４が開閉自在に設置されている。
【００４３】
本実施形態の蓋４は、図７、図８及び図１１に示すように、蓋４の主体を構成し平面視正方形の板状部材から成る蓋体４１と、この蓋体４１の外周を囲む外枠１ｂ（枠体１）と、蓋体４１の下面に設けられた補強材４２と、蓋体４１の上面に設けられた把持部４３と、を備えている。
【００４４】
蓋４の外枠１ｂ（枠体１）は、金属製の外枠用の枠材６と、合成樹脂製の外枠用のコーナー部材７と、から構成されており、４つの枠材６をコーナー部材７を介して連結することで平面視矩形状を成して形成されている。更に言えば、この各枠材６はすべて略同じ長さで形成されており、各枠材６をコーナー部材７により連結したものは、平面視で正方形状を成す外枠１ｂを構成している。
【００４５】
この外枠１ｂ用の枠材６は、床に設けられた開口の周枠１ａと同様に、金属を押出成形して成る長尺状の部材を、長手方向に垂直な断面により切断することで、各枠材６が形成されている。この枠材６は、蓋体４１を差し込む断面略コ字形状を成す蓋体差込部６１と、その蓋体差込部６１の下部に設けられた載置部６２とを備えている。
【００４６】
この蓋体差込部６１は、蓋体４１の端部上面に当接するフランジ片６３から下方に向けて外枠縦片６４が連設され、この外枠縦片６４の下端部からフランジ片６３と略平行するように外枠横片６５が連設することで構成されている。フランジ片６３の下面と外枠横片６５の上面からは、互いに向き合うようにして外枠突片６６が突設されており、外枠縦片６４と外枠突片６６とで外枠用の被嵌込部６７を構成している。さらに、外枠縦片６４には蓋体４１の側端部と固着一体化するための固着具挿通孔６８が穿設されている。
【００４７】
載置部６２は、蓋体差込部６１の外枠横片６５における床の開口中央側の端部（外枠縦片６４からの突出先端）から下方に向けて連設された載置用縦片６２１と、載置用縦片６２１の下端部から外方に向けて連設された載置用横片６２２とで構成されている。
【００４８】
外枠１ｂ用のコーナー部材７は、合成樹脂により形成されている。このコーナー部材７は、上下方向に立設し且つ平面視略Ｌ字形状にて形成された外枠縦壁７２が設けられている。この外枠縦壁７２の水平方向の端部からは、嵌込片７３が突設されており、この嵌込片７３は互いに略直交するようにして設けられている。また、外枠縦壁７２の上部には、前述の嵌込片７３の突出方向と同じ方向となるように覆い片７４が設けられており、この覆い片７４は外枠縦壁７２の上端部に連接して設けられている。その上、このコーナー部材７の下部には、前述の覆い片７４と同じ方向となるように下覆い片７５が設けられており、この下覆い片７５は外枠縦壁７２の下端部に連設して設けられている。さらに、コーナー部材７の下端部（つまり、下覆い片７５の下部）には下面視略矩形状の突部７１が設けられている。嵌込片７３の先端側にある突部７１の側面は、垂直面に形成されており、枠材６にある載置部６２の長手方向の端部と当接又は対向して位置するようになっている。
【００４９】
このように構成された枠材６とコーナー部材７とを連結し、蓋４を組み立てるには以下のようにして行なう。（図７乃至図９及び図１１参照）
枠材６の外枠縦片６４と外枠突片６６とで形成する被嵌込部６７に、コーナー部材７に設けられた嵌込片７３を嵌入する。被嵌込部６７に嵌込片７３を嵌入していくと、外枠１ｂ用の枠材６のフランジ片６３の長手方向の端部上面を、コーナー部材７の覆い片７４が覆うと共に、外枠１ｂ用の枠材６の外枠横片６５の端部下面を、コーナー部材７の下覆い片７５が覆うようになっている。このとき、枠材６にある載置部６２の長手方向の端部が、コーナー部材７の下端部にある突部７１に当接又は対向して位置するようになっており、載置部６２の長手方向の端部の切断面に現れるエッジ部分が露出しないように、コーナー部材７の突部７１が該エッジ部分を覆って設置される。
【００５０】
このようにして外枠１ｂ用の枠材６とコーナー部材７との連結を行い、枠材６を３つ連結した状態であるコ字形状としたものを形成する。この状態に組み立てた枠材６の蓋体差込部６１に向けて板状の蓋体４１を差し込み、所定の位置に蓋体４１を位置させる。その後、枠材６の外枠縦片６４にある固着具挿通孔６８に固着具を挿通して、枠材６と蓋体４１とを固着一体化し、コ字形状の開放面に設置すべき枠材６を連結して設置し、同様に固着具により枠材６と蓋体４１とを固着するようにする。
【００５１】
次に、図１１に示すように、ねじ等の固着具により、外枠１ｂが装着された蓋体４１の下面に補強材４２を固設すると共に、蓋体４１の上面に設けられた凹み部（図示せず）に取っ手を螺設して把持部４３を設ける。このようにして、蓋４が完成する。
【００５２】
このような枠材６の組立構造によると、金属製の枠材６の載置部６２の長手方向の端部（つまり切断面）にあるエッジ部分を、合成樹脂製のコーナー部材７の突部７１により覆っているから、載置部６２の長手方向の端部にエッジ部分により手足を引掛けて切傷などの怪我を起こすことがなくなる。その上、枠材６のフランジ片６３や外枠横片６５を、コーナー部材７の覆い片７４と下覆い片７５とで覆うようにしているから、この点においても、枠材６の長手方向の端部にあるエッジ部分で怪我をすることが防止されている。
【００５３】
なお、蓋４のコーナー部材７の下端部に突部７１を設けてあるが、床に設けられた開口の周枠１ａのコーナー部材３の底面部３７の略中央には凹段部３８が設けてあるから、蓋４を、床に設けられた開口の周枠１ａ上に設置した場合であっても、ガタツキを生じさせることなく設置することができる。更に言えば、蓋４に載置部６２が設けてあることにより、補強材４２を設置した場合であっても、床に設けられた開口の周枠１ａに補強材４２が干渉することなく設置することができるうえに、蓋４を床上に載置するに当たっても、安定して載置しておくことができるという利点も有している。
【００５４】
以上、床下収納庫に基づいて本発明の枠材２の組立構造を説明したが、本発明の枠材２の組立構造は床下収納庫に限定されるものではなく、床下点検口の開口に配設するものや、その床下点検口を閉塞する蓋４においても同様に適用することができる。
【００５５】
また、本実施形態の周枠１ａ用のコーナー部材３や外枠１ｂ用のコーナー部材７は、合成樹脂により成形したが、合成樹脂は、例えば、ＡＢＳ樹脂、変性ＰＰＯ（ポリフェニレンオキサイド）、変性ＰＰＥ（ポリフェニレンエーテル）、ＰＢＴ（ポリブチレンテレフタレート）樹脂、熱可塑性エラストマー、ＰＥＴ（ポリエチレンテレフタレート）樹脂等を好適に使用することができ、特に限定されるものではない。さらに、本実施形態の周枠１ａ用の枠材２や外枠１ｂ用の枠材６は、アルミニウムにより成形したが、アルミニウム合金やステンレス等のように、金属により成形したものであれば特に限定されない。
【００５６】
さらに、本実施形態の周枠１ａや外枠１ｂ（すなわち、枠体１）は、正方形状により形成してあるが、矩形状であれば長方形状であってもよく、特に限定されるものではない。
【図面の簡単な説明】
【００５７】
【図１】本発明の一実施形態の床に設けられた開口の周枠の要部分解斜視図である。
【図２】同上のコーナー部材と枠材とを一部組み立てた状態の斜視図であり、（ａ）は上方から見た斜視図であり、（ｂ）は下方から見た斜視図である。
【図３】同上の床に設けられた開口の周枠（枠体）を組み立てた状態の斜視図である。
【図４】同上の床に設けられた開口を説明する斜視図である。
【図５】同上の開口部分の要部の一部を切断した斜視図である。
【図６】同上の床下収納庫を組み立て方法を説明する図であり（ａ）は収納本体を設置する直前の斜視図であり、（ｂ）は収納本体を枠体に設置した状態を説明する要部断面図である。
【図７】同上の蓋の分解斜視図である。
【図８】同上の蓋の完成図の斜視図である。
【図９】同上の外枠用コーナー部材に外枠用枠材を接合した状態を示す下方から見た斜視図である。
【図１０】同上の床に設けられた周枠上に蓋を設置した状態の要部断面図である。
【図１１】同上の蓋を組み立て方法を説明する斜視図であり（ａ）は外枠に蓋体を差し込んだ状態の分解斜視図であり（ｂ）は蓋の完成図の下方から見た斜視図である。
【符号の説明】
【００５８】
１      枠体
１ａ    周枠
１ｂ    外枠
２      枠材
２１    被嵌込部
２２    フランジ片
２３    縦片
２４    被係止部
２５    横片
２５１  被係止孔
２５２  固着具挿通穴
２６    垂下片
２７    突片
２８    収納本体受片
２８１  収納本体用孔
２９    カット部
３      コーナー部材
３１    嵌込片
３１１  係止片
３１２  係止突起
３２    覆い片
３３    縦壁
３４    当接部
３５    覆い壁
３７    底面部
３８    凹段部
３９    ガイド片
【図１】
2010116738.tif 000003
【図２】
2010116738.tif 000004
【図３】
2010116738.tif 000005
【図４】
2010116738.tif 000006
【図５】
2010116738.tif 000007
【図６】
2010116738.tif 000008
【図７】
2010116738.tif 000009
【図８】
2010116738.tif 000010
【図９】
2010116738.tif 000011
【図１０】
2010116738.tif 000012
【図１１】
2010116738.tif 000013